(57)【要約】【課題】効率良く画像データをバックアップする画像処理装置及び画像処理システムを提供する。【解決手段】原稿を読み取って取得した画像データが画像処理装置の記憶部に記憶される。記憶部に記憶されている画像データ全てがフルバックアップされる。フルバックアップされた後は、画像処理装置の記憶部に記憶されている画像データのうち、フルバックアップ後に新たに記憶された画像データの増分のみが所定頻度で増分バックアップされる。バックアップされた画像データを復元する場合、外部記憶装置にバックアップされた画像データが画像処理装置の記憶部に復元される。【選択図】図１
2009259052.tif 000002
【特許請求の範囲】
【請求項１】
外部記憶装置との間で通信を行う通信部と、
原稿を読み取って画像データを取得する原稿読取部と、
該原稿読取部が取得した画像データを記憶する記憶部と、
該記憶部に記憶されている画像データ全てを前記通信部に接続された前記外部記憶装置へバックアップする全体バックアップ部と、
該全体バックアップ部がバックアップした画像データに対して、前記記憶部が記憶している画像データの増分を予め設定された頻度で前記外部記憶装置へバックアップする増分バックアップ部と
を備えることを特徴とする画像処理装置。
【請求項２】
前記全体バックアップ部は、
バックアップした前記画像データ全てにバックアップしたことを示す識別子を付加するよう構成してあり、
前記増分バックアップ部は、
前記記憶部に記憶されている画像データのうち、前記識別子が付加されていない画像データをバックアップし、
バックアップした前記画像データに前記識別子を付加するよう構成してある
ことを特徴とする請求項１に記載の画像処理装置。
【請求項３】
前記全体バックアップ部及び増分バックアップ部は、
前記記憶部が記憶している画像データの一覧からなる管理情報を作成してバックアップするよう構成してあり、
バックアップされた複数の管理情報のうち、一つの管理情報を選択する管理情報選択部と、
該管理情報選択部が選択した管理情報が示す画像データを前記外部記憶装置から前記記憶部に復元する復元部と
をさらに備えることを特徴とする請求項１又は請求項２に記載の画像処理装置。
【請求項４】
前記全体バックアップ部は、
前記記憶部に記憶されている画像データ及び作成した前記管理情報からなるアーカイブファイルをバックアップするよう構成してあり、
前記増分バックアップ部は、
前記画像データの増分及び作成した前記管理情報からなるアーカイブファイルをバックアップするよう構成してあり、
前記管理情報選択部は、
バックアップされた複数のアーカイブファイルのうち、一つのアーカイブファイルに含まれる管理情報を選択するよう構成してある
ことを特徴とする請求項３に記載の画像処理装置。
【請求項５】
前記管理情報選択部は、最後にバックアップされたアーカイブファイルに含まれる管理情報を選択するよう構成してあることを特徴とする請求項４に記載の画像処理装置。
【請求項６】
前記管理情報選択部は、選択操作を受け付けて管理情報を選択するよう構成してあることを特徴とする請求項３又は請求項４に記載の画像処理装置。
【請求項７】
通信部を有する画像処理装置と、前記通信部に接続されており、該画像処理装置がバックアップする画像データを記憶する外部記憶装置とから構成してある画像処理システムにおいて、
前記画像処理装置は、
原稿を読み取って画像データを取得する原稿読取部と、
該原稿読取部が取得した画像データを記憶する記憶部と、
該記憶部に記憶されている画像データ全てをバックアップする全体バックアップ部と、
該全体バックアップ部がバックアップした画像データに対して、前記記憶部が記憶している画像データの増分を予め設定された頻度でバックアップする増分バックアップ部と
を備え、
前記外部記憶装置は、
前記全体バックアップ部及び増分バックアップ部夫々がバックアップする画像データ全て及び画像データの増分を記憶する記憶部を備える
ことを特徴とする画像処理システム。
【発明の詳細な説明】
【技術分野】
【０００１】
本発明は、効率良く画像データのバックアップを行う画像処理装置及び画像処理システムに関する。
【背景技術】
【０００２】
近年、ファクシミリの送受信機能、文書等のコピー機能及びプリンタ機能等を複合したＭＦＰ（Multi Functional Peripheral :複合機）等の画像処理装置が使われるようになってきている。ＭＦＰでは、ファクシミリの受信機能により受信した画像データ及びコピー機能が取り込んだ文書等の画像データを内蔵する記憶部に記憶することが可能に構成されている。また、ＭＦＰでは外部に接続されたクライアントコンピュータから印刷のために送信されてきた画像データについても記憶部に記憶することができる。ＭＦＰは、記憶部に記憶された画像データをＭＦＰが有するプリンタ機能により印刷することが可能である。さらにＭＦＰは、記憶部に記憶された画像データを外部に接続されたファクシミリ及びクライアントコンピュータへ送信することが可能である。
【０００３】
ＭＦＰの記憶部が不意に損傷して、記憶されている画像データが失われる事態を回避するために、ＭＦＰの記憶部に記憶されている画像データを定期的にバックアップすることが好ましい。ＭＦＰ又はファクシミリに記憶されている画像データをバックアップする技術が、例えば特許文献１、特許文献２及び特許文献３に開示されている。特許文献１に記載の方法は、ファクシミリにネットワーク接続された外部のコンピュータがファクシミリに記憶されている画像データをダウンロードして、外部のコンピュータの記憶部に設けられた所定フォルダに記憶し、バックアップする。また、特許文献２に記載の方法は、光磁気ディスクからなる記憶部に記憶された画像データが所定量を超えた場合に、ネットワーク接続された外部のコンピュータに転送してバックアップする。
【０００４】
特許文献３に記載の方法は、ユーザがＭＦＰを手動操作してＭＦＰに記憶されている画像データをネットワーク接続された外部のコンピュータの記憶部に設けられた共有フォルダに転送し、バックアップする。ＭＦＰに記憶されている全画像データを毎回バックアップする場合、バックアップにおける画像データの転送時間及びデータ圧縮に係る処理時間等が長くなり迅速なバックアップを行うことが困難となる。また、全画像データを毎回バックアップするために、大容量の記憶部が必要となる。
【０００５】
ここで、全データのバックアップ（フルバックアップ）を行った後に、新たに記憶又は削除されて変更が生じたデータのみを定期的にバックアップすることで、バックアップに係る処理時間及び記憶容量を低減する技術が知られている（例えば、特許文献４参照）。このような変更が生じたデータのみをバックアップする方式として差分バックアップ及び増分バックアップがある。差分バックアップでは、定期的にバックアップする都度、フルバックアップ以降に変更された全データをバックアップする。
【０００６】
増分バックアップでは、直近に実行されたフルバックアップ又は増分バックアップから変更されたファイルのみをバックアップする。これにより、差分バックアップと比較して増分バックアップに係る処理時間は短くなり、また必要な記憶容量が小さくなるため、定期的に効率の良いバックアップを実行することが可能となる（例えば、特許文献５参照）。
【特許文献１】特開２００７−１３２４８号公報
【特許文献２】特開平１０−１９０９０３号公報
【特許文献３】特開２００６−１５５５７６号公報
【特許文献４】特開平０６−１１９４００号公報
【特許文献５】特開平０１−１１１２４０号公報
【発明の開示】
【発明が解決しようとする課題】
【０００７】
しかしながら、特許文献１に記載のバックアップは、ネットワーク接続された外部のコンピュータに画像データを転送してバックアップする方法が記載されているのみであり、定期的に効率良くバックアップを実行する方法については記載されていない。また、特許文献２に記載のバックアップ方法は、光磁気ディスクに記憶される画像データの容量に応じてバックアップするものであり、定期的に効率良くバックアップすることが困難であるという問題があった。さらに特許文献３に記載のバックアップ方法は、ユーザによる手動操作を必要とし、ユーザによる操作を必要とせずに定期的に効率の良いバックアップを実行することが不可能であるという問題があった。
【０００８】
本発明は斯かる事情に鑑みてなされたものであり、記憶している画像データ全てをバックアップする全体バックアップ部と、全体バックアップ部がバックアップした画像データに対する画像処理装置が記憶している画像データの増分を所定頻度でバックアップする増分バックアップ部とを備えることにより、画像処理装置が記憶する画像データを画像処理装置に接続された外部記憶装置に定期的に効率良くバックアップすることが可能となる画像処理装置及び画像処理システムを提供することを目的とする。
【課題を解決するための手段】
【０００９】
本発明に係る画像処理装置において、外部記憶装置との間で通信を行う通信部と、原稿を読み取って画像データを取得する原稿読取部と、該原稿読取部が取得した画像データを記憶する記憶部と、該記憶部に記憶されている画像データ全てを前記通信部に接続された前記外部記憶装置へバックアップする全体バックアップ部と、該全体バックアップ部がバックアップした画像データに対して、前記記憶部が記憶している画像データの増分を予め設定された頻度で前記外部記憶装置へバックアップする増分バックアップ部とを備えることを特徴とする。
【００１０】
本発明にあっては、原稿を読み取って取得した画像データが画像処理装置の記憶部に記憶される。記憶部に記憶されている画像データ全てが通信部に接続された外部記憶装置にフルバックアップ（全体バックアップ）される。フルバックアップ後、画像処理装置の記憶部に記憶されている画像データのうち、フルバックアップ後に新たに記憶された画像データの増分のみが所定頻度で外部記憶装置に増分バックアップされる。
【００１１】
本発明に係る画像処理装置において、前記全体バックアップ部は、バックアップした前記画像データ全てにバックアップしたことを示す識別子を付加するよう構成してあり、前記増分バックアップ部は、前記記憶部に記憶されている画像データのうち、前記識別子が付加されていない画像データをバックアップし、バックアップした前記画像データに前記識別子を付加するよう構成してあることを特徴とする。
【００１２】
本発明にあっては、記憶部に記憶されている画像データが外部記憶装置にフルバックアップ及び増分バックアップされた場合、バックアップされたことを示す識別子が記憶部に記憶されている画像データ夫々に付加される。増分バックアップは、記憶部が記憶している画像データのうち、識別子が付加されていない画像データを抽出することにより、画像データの増分を取得して実行される。
【００１３】
本発明に係る画像処理装置において、前記全体バックアップ部及び増分バックアップ部は、前記記憶部が記憶している画像データの一覧からなる管理情報を作成してバックアップするよう構成してあり、バックアップされた複数の管理情報のうち、一つの管理情報を選択する管理情報選択部と、該管理情報選択部が選択した管理情報が示す画像データを前記外部記憶装置から前記記憶部に復元する復元部とをさらに備えることを特徴とする。
【００１４】
本発明にあっては、バックアップする都度、記憶部が記憶している画像データの一覧からなる管理情報が作成されてバックアップされ、複数の管理情報が外部記憶装置に記憶される。外部記憶装置に記憶されている複数の管理情報のうち、一つが選択され、選択された管理情報をなす画像データ一覧に基づいて画像データが外部記憶装置から記憶部に復元される。
【００１５】
本発明に係る画像処理装置において、前記全体バックアップ部は、前記記憶部に記憶されている画像データ及び作成した前記管理情報からなるアーカイブファイルをバックアップするよう構成してあり、前記増分バックアップ部は、前記画像データの増分及び作成した前記管理情報からなるアーカイブファイルをバックアップするよう構成してあり、前記管理情報選択部は、バックアップされた複数のアーカイブファイルのうち、一つのアーカイブファイルに含まれる管理情報を選択するよう構成してあることを特徴とする。
【００１６】
本発明にあっては、記憶部に記憶されている画像データの一覧からなる管理情報が作成され、全画像データと管理情報とからなるアーカイブファイルを外部記憶装置にバックアップすることで、フルバックアップされる。フルバックアップ後に、所定頻度で新たに管理情報が作成され、記憶部に新たに記憶された画像データの増分と、管理情報とからなるアーカイブファイルを外部記憶装置にバックアップすることで、増分バックアップされる。外部記憶装置にバックアップされた複数のアーカイブファイルから一つのアーカイブファイルが選択される。選択されたアーカイブファイルに含まれる管理情報をなす画像データ一覧に基づいてアーカイブファイルから画像データが記憶部に復元される。
【００１７】
本発明に係る画像処理装置において、前記管理情報選択部は、最後にバックアップされたアーカイブファイルに含まれる管理情報を選択するよう構成してあることを特徴とする。
【００１８】
本発明にあっては、外部記憶装置にバックアップされた複数のアーカイブファイルのうち、最後にバックアップされたアーカイブファイルに含まれる管理情報が選択される。選択された管理情報に基づいて画像データを復元することにより、最後のバックアップ時点において記憶部に記憶されていた画像データが復元される。
【００１９】
本発明に係る画像処理装置は、前記管理情報選択部は、選択操作を受け付けて管理情報を選択するよう構成してあることを特徴とする。
【００２０】
本発明にあっては、外部記憶装置にバックアップした画像データを復元する場合、外部記憶装置から送られてきた複数のアーカイブファイルのうち、ユーザが選択したアーカイブファイルに含まれる管理情報に基づいて画像データが復元される。
【００２１】
本発明に係る画像処理システムは、通信部を有する画像処理装置と、前記通信部に接続されており、該画像処理装置がバックアップする画像データを記憶する外部記憶装置とから構成してある画像処理システムにおいて、前記画像処理装置は、原稿を読み取って画像データを取得する原稿読取部と、該原稿読取部が取得した画像データを記憶する記憶部と、該記憶部に記憶されている画像データ全てをバックアップする全体バックアップ部と、該全体バックアップ部がバックアップした画像データに対して、前記記憶部が記憶している画像データの増分を予め設定された頻度でバックアップする増分バックアップ部とを備え、前記外部記憶装置は、前記全体バックアップ部及び増分バックアップ部夫々がバックアップする画像データ全て及び画像データの増分を記憶する記憶部を備えることを特徴とする。
【００２２】
本発明にあっては、原稿を読み取って取得した画像データが画像処理装置の記憶部に記憶される。画像処理装置の全体バックアップ部は、記憶部に記憶されている画像データ全てを外部記憶装置に送信し、外部記憶装置の記憶部は送信されてきた画像データ全てを記憶してフルバックアップする。フルバックアップ後、画像処理装置の記憶部に新たに記憶された画像データの増分のみが所定頻度で外部記憶装置に送信され、外部記憶装置の記憶部に記憶される。
【発明の効果】
【００２３】
本発明にあっては、記憶している画像データ全てをバックアップする全体バックアップ部と、全体バックアップ部がバックアップした画像データに対する画像処理装置が記憶している画像データの増分を所定頻度でバックアップする増分バックアップ部とを備えることにより、画像処理装置が記憶する画像データを画像処理装置に接続された外部記憶装置に定期的に効率良くバックアップすることが可能となる。
【発明を実施するための最良の形態】
【００２４】
実施の形態１
以下、本発明をその実施の形態を示す図面を参照して具体的に説明する。図１は、実施の形態１に係る機能ブロック図である。図中１は、本発明における画像処理装置を示す。画像処理装置１は、画像データが記憶される記憶部２１と、記憶部２１に記憶されている画像データの全体バックアップ、増分バックアップ及び復元を行う制御部１０と、通信部２０とを備えている。制御部１０が備える全体バックアップ部１０１は、記憶部２１に記憶されている映像データを通信部２０に接続される外部記憶装置３にフルバックアップ（全体バックアップ）する処理を制御部１０が実行することで機能するよう構成されている。
【００２５】
また、制御部１０が備える増分バックアップ部１０２は、記憶部２１に記憶されている映像データを外部記憶装置３に増分バックアップする処理を制御部１０が実行することで機能するよう構成されている。制御部１０が備える管理情報選択部１０３及び復元部１０４は、選択された管理情報に基づいて外部記憶装置３にバックアップされている映像データを読み出し、記憶部２１に復元する復元処理を制御部１０が実行することで機能するよう構成されている。本実施の形態１においては、画像処理装置１及び外部記憶装置３を夫々後述のＭＦＰ及びバックアップＰＣと対応付けて説明する。
【００２６】
図２は、実施の形態１に係るＭＦＰを含むネットワークの構成例を示す模式図である。図中１は、ＰＳＴＮ（Public Switched Telephone Network :公衆電話回線網）を介してデータの送受信を行うファクシミリ機能を備えるＭＦＰ（画像処理装置）である。また、ＭＦＰ１は、原稿の複写を行うコピー機能、ＬＡＮ（Local Area Network）を介して与えられた画像データを印刷用紙などの記録媒体に記録するプリンタ機能を備える。さらにＭＦＰ１は、原稿を読み取って画像データを取得するスキャナ機能等の複数の機能を備える。
【００２７】
ＭＦＰ１は、ＬＡＮを介してクライアントＰＣ４、４…と接続されており、クライアントＰＣ（Personal Computer）４、４…からデータを受信してプリンタ機能により記録媒体に記録することが可能である。また、ＭＦＰ１は、スキャナ機能によって読み取った原稿の画像データをクライアントＰＣ４、４…へＬＡＮを介して送信することが可能である。ＭＦＰ１は、ＬＡＮを介してバックアップＰＣ（外部記憶装置）３とも接続されており、ＭＦＰ１が記憶する画像データをバックアップＰＣ３に送信して記憶させ、バックアップするようにしてある。ＭＦＰ１は、ＰＳＴＮを介して外部のＭＦＰ５及びファクシミリ装置６等と接続されており、これらの装置との間で音声信号による画像データの送受信が可能となるよう構成してある。
【００２８】
図３は、実施の形態１に係るＭＦＰ１及びバックアップＰＣ３の内部構成を含む構成例を示すブロック図である。ＭＦＰ１は、ＣＰＵ（Central Processing Unit）又はＭＰＵ（Micro Processing Unit）等で構成してある制御部１０を備えている。制御部１０は、バス１０ａを介して、ＲＡＭ（Random Access Memory）１１、ＲＯＭ（Read-Only Memory）１２及び画像メモリ１３等と接続されている。また、制御部１０は、ＮＣＵ（Network Control Unit）１４、モデム１５、原稿読取部１６、画像形成部１７、操作部１８、操作パネル１９、通信部２０、記憶容量の大きいＨＤＤ（Hard disk drive）からなる記憶部２１及び時計部２２等に接続されている。制御部１０は、ＲＯＭ１２に予め記憶されたプログラムをＲＡＭ１１に読み出して実行することにより、バス１０ａを介してＭＦＰ１内のハードウェア各部の動作を制御すると共に、種々のソフトウェア的機能を実現する。
【００２９】
ＲＡＭ１１は、ＲＯＭ１２から読み出された制御プログラムの他、制御部１０が各部の制御処理又は演算処理等を行う際に発生する一時的なデータも記憶するようにしてある。ＮＣＵ１４は、ＰＳＴＮとの回線の閉結及び開放の動作を行うハードウェアであり、ＰＳＴＮとモデム１５とのインタフェース回路を有している。モデム１５は、ＰＳＴＮを介して他のＭＦＰ５又はファクシミリ装置６等とファクシミリ通信を行うためのハードウェアである。モデム１５は、ＭＦＰ１がファクシミリ通信によりデータの送信を行う場合、後述の原稿読取部１６が原稿を読み取って取得したデジタルの画像データをアナログの音声信号に変換して送信する。また、モデム１５は、ＭＦＰ１がデータの受信を行う場合には、ＰＳＴＮを介して受信したアナログの音声信号をデジタルの画像データに変換するようにしてある。
【００３０】
ＭＦＰ１は、コピー機能、ファクシミリ機能及びスキャナ機能等を利用する際に原稿の読み取りを行う原稿読取部１６と、コピー機能、ファクシミリ機能及びプリンタ機能等を利用する際に記録媒体へ画像を形成する画像形成部１７とを備えている。原稿読取部１６は、例えばＣＣＤ（Charge Coupled Device）を利用した光学系で原稿を読み取り取得した画像データを、画像メモリ１３に記憶させるようにしてある。また、図示は省略するが、原稿読取部１６はＡＤＦ（Auto Document Feeder :原稿自動送り装置）を有しており、複数頁の原稿を自動的に読み取ることができるようにしてある。
【００３１】
画像メモリ１３は、ＤＲＡＭ（Dynamic Random Access Memory）又はフラッシュメモリ等の大容量のメモリ素子で構成してある。画像メモリ１３は、ＮＣＵ１４及びモデム１５を介したファクシミリ通信により受信した画像データ、原稿読取部１６により読み取った画像データ及び通信部２０を介したデータ通信により受信した画像データを一時的に記憶する。画像形成部１７は、例えば電子写真方式のプリンタ装置である。画像形成部１７は、画像メモリ１３から読み出した画像データに基づく画像をＡ３縦及びＢ４縦等の各サイズの記録用紙などの記録媒体にハードコピーとして記録するようにしてある。操作パネル１９は、液晶ディスプレイなどによる表示部と、この表示部への接触を検知するタッチセンサとを有する所謂タッチパネルの構成をなしている。
【００３２】
操作パネル１９の表示部には、ＭＦＰ１の動作状態、ＭＦＰ１の動作をユーザが選択するための選択メニュー、動作に係る設定値をユーザが設定するための設定メニュー、及びユーザに通知するための情報等を表示するようにしてある。操作パネル１９の表示部に選択メニュー又は設定メニュー等が表示されている場合、ユーザが表示部に触れることでタッチセンサがこれを検知し、メニューの選択又は動作の設定等を行うことができるようにしてある。操作パネル１９は、制御部１０からの指示により表示部に各種の表示を行うと共に、タッチセンサによる検知結果を制御部１０へ与えるようにしてある。
【００３３】
操作部１８は、操作パネル１９が受け付ける操作とは別の内容の操作を受け付けるための複数のキー、ボタン又はスイッチ等で構成してある。操作部１８は、例えば、原稿の読取の開始を指示するスタートキー、各種の処理の中断を指示するストップキー、数値を入力するテンキー及び各種のファンクションキー等を備えている。通信部２０は、所謂ＬＡＮケーブルを接続するためのコネクタを有しており、コネクタに接続されたＬＡＮケーブルを介して社内ＬＡＮ又は家庭内ＬＡＮ等に接続する。通信部２０は、バックアップＰＣ３及びクライアントＰＣ４、４、…との間でデータの送受信を行う。
【００３４】
また、ＭＦＰ１は、ファクシミリ通信により外部から受信した画像データ及び原稿読取部１６により原稿から読み取った画像データを適宜記憶部２１に記憶させて各種の処理を並行して行うことができるようにしてある。ＭＦＰ１は、ＬＡＮを介してクライアントＰＣ４、４、…から受信した画像データについても適宜記憶部２１に記憶させるよう構成してある。時計部２２は、バス１０ａを介して年月日、曜日及び時刻を示す暦日時情報を制御部１０に与えるようにしてある。ＭＦＰ１のコピー機能は、原稿読取部１６にて原稿を読み取って画像データを取得し、取得した画像データに基づく画像を画像形成部１７にて記録用紙等の記録媒体に形成することで実現される。
【００３５】
ファクシミリの送信機能は、原稿読取部１６にて原稿を読み取って得られた画像データをモデム１５へ与え、モデム１５及びＮＣＵ１４によりＰＳＴＮを介して外部のＭＦＰ５又はファクシミリ装置６等へ画像データを送信することで実現される。ファクシミリの受信機能は、外部のＭＦＰ５又はファクシミリ装置６から受信した画像データを画像形成部１７へ与え、画像形成部１７にて記録媒体に画像を形成することで実現される。プリンタ機能は、クライアントＰＣ４、４、…からＬＡＮを介して通信部２０が受信した画像データを画像形成部１７へ与え、画像形成部１７にて記録媒体に画像を形成することで実現される。なお、これらの処理を行う際に、画像データを一時的に蓄積するバッファとして画像メモリ１３を使用するようにしてある。
【００３６】
ＭＦＰ１のスキャナ機能は、原稿読取部１６にて原稿を読み取って画像データを取得し、取得した画像データを通信部２０からＬＡＮを介してクライアントＰＣ４、４、…へ送信することで実現される。記憶部２１に記憶されている画像データは、クライアントＰＣ４、４、…からＭＦＰ１に与えられる読出要求に応じて読み出すことができるようにしてある。記憶部２１は、ＭＦＰ１の操作部１８及び操作パネル１９が受け付けたユーザによる削除指示、又はクライアントＰＣ４からの削除指示に応じて記憶している画像データを削除可能にしてある。ＭＦＰ１で実行される後述のバックアップ処理により、記憶部２１に記憶されている画像データがＬＡＮを介してバックアップＰＣ３に送信される。
【００３７】
バックアップＰＣ３は、ＣＰＵ又はＭＰＵ等で構成してある制御部３０を備えている。制御部３０は、バス３０ａを介して、ＲＡＭ３１、ＲＯＭ３２、記憶部３３及び通信部３４等に接続されている。制御部３０は、ＲＯＭ３２に予め記憶されたプログラムをＲＡＭ３１に読み出して実行することにより、バス３０ａを介してバックアップＰＣ３内のハードウェア各部の動作を制御すると共に、種々のソフトウェア的機能を実現する。ＭＦＰ１で実行されるバックアップ処理は、フルバックアップ及びフルバックアップ後に所定頻度で実行される増分バックアップからなる。フルバックアップは、記憶部２１に記憶されている全画像データを含むアーカイブファイルをバックアップＰＣ３に送信して格納させることで行われる。増分バックアップは、フルバックアップ後に、所定頻度で記憶部２１に新たに記憶された画像データの増分を含むアーカイブファイルをバックアップＰＣ３に送信して格納させることで行われる。
【００３８】
ＭＦＰ１には、増分バックアップを行う頻度が予め設定されて記憶部２１に記憶されている。増分バックアップの頻度は、例えば、所定の日付、所定の曜日及び所定の時刻等を設定して、増分バックアップを夫々毎月、毎週及び毎日実行するようにすると良い。また、増分バックアップを行う時間間隔を設定しても良い。さらに、操作部１８又は操作パネル１９が受け付けたユーザ操作により、記憶部２１に記憶されている増分バックアップの頻度を変更可能に構成しても良い。ＭＦＰ１は、バックアップ処理の実行がユーザ操作により指示された場合、記憶部２１に記憶されている全画像データの一覧からなる管理情報を作成し、作成した管理情報及び記憶部２１に記憶されている全画像データからなり、データ圧縮が施されたアーカイブファイルを作成する。
【００３９】
ＭＦＰ１は、作成したアーカイブファイルを暗号化してバックアップＰＣ３に送信し、バックアップＰＣ３の記憶部３３に記憶させることにより、フルバックアップする。記憶部２１に記憶されており、フルバックアップされた全画像データには、バックアップ済みであることを示す識別子が付加される。ＭＦＰ１は、記憶部２１に記憶されている増分バックアップの頻度に従って、記憶部２１に記憶されている画像データのうち、バックアップ済みであることを示す識別子が付加されていない画像データを抽出し、直近に実行したフルバックアップ又は増分バックアップの後に新たに記憶部２１に記憶された画像データの増分を取得する。
【００４０】
ＭＦＰ１は、記憶部２１に記憶されている全画像データの一覧からなる管理情報を作成し、管理情報及び画像データの増分からなり、データ圧縮が施されたアーカイブファイルを作成する。また、ＭＦＰ１は、増分バックアップ時点で、直近に実行したフルバックアップ又は増分バックアップの後に新たに記憶部２１に画像データが記憶されておらず、画像データの増分を取得しなかった場合、作成した管理情報のみからなるアーカイブファイルを作成する。ＭＦＰ１は、作成したアーカイブファイルを暗号化してバックアップＰＣ３に送信し、バックアップＰＣ３の記憶部３３に記憶させることにより、増分バックアップする。
【００４１】
記憶部２１に記憶されており、増分バックアップされた画像データには、バックアップ済みであることを示す識別子が付加される。バックアップＰＣ３の記憶部３３には、フルバックアップによるアーカイブファイルと、最新の増分バックアップ時点までに所定頻度でバックアップされた複数のアーカイブファイルとが記憶される。また、アーカイブファイルには、ＭＦＰ１が作成した時点で時計部２２が出力した暦日時情報からなる時刻情報（タイムスタンプ）が付与されている。
【００４２】
ＭＦＰ１は、復元操作を受け付けた場合、バックアップＰＣ３の記憶部３３が記憶しており、データ圧縮されている全アーカイブファイルを読み出し、アーカイブファイル夫々に付与された時刻情報を基に、最後にバックアップされたアーカイブファイルを選択して復号する。ＭＦＰ１は、復号したアーカイブファイルに含まれる管理情報を復元する。ＭＦＰ１は、復元した管理情報に含まれる画像データを、記憶部２１に読み出したアーカイブファイルから復元する。最後にバックアップされたアーカイブファイルに含まれる管理情報は、最後のバックアップ時点において記憶部２１に記憶されていた画像データの一覧からなるため、記憶部２１には最後のバックアップ時点において記憶されていた画像データが復元される。
【００４３】
最後のバックアップ時点の前にＭＦＰ１の記憶部２１から削除された画像データは、読み出したアーカイブファイルの管理情報に含まれないため、記憶部２１に復元されない。増分バックアップは、毎回フルバックアップする場合と比較して、バックアップするデータ容量が小さくなる。これにより、データ圧縮及び暗号化に係る処理時間、ＬＡＮにおけるトラフィック量及び送受信時間、並びにバックアップデータを記憶するために必要な記憶容量が低減される。
【００４４】
図４は、実施の形態１に係るアーカイブファイルのデータ構造の例を示す説明図である。図４のＡは、フルバックアップされた場合にバックアップＰＣ３の記憶部３３に記憶されているアーカイブファイル２１１を示す。アーカイブファイル２１１は、フルバックアップ時点においてＭＦＰ１の記憶部２１に記憶されている画像データ全てをなす画像データＡ、Ｂと、係る画像データＡ、Ｂを示す管理情報とから構成されている。
【００４５】
図４のＢは、フルバックアップ後に１回目の増分バックアップが行われた場合にバックアップＰＣ３の記憶部３３に記憶されているアーカイブファイル２１１、２１２を示している。アーカイブファイル２１２は、１回目の増分バックアップにより、新たにバックアップＰＣ３の記憶部３３に記憶されたアーカイブファイルを示している。アーカイブファイル２１２は、フルバックアップ後にＭＦＰ１の記憶部２１に新たに記憶された画像データＣと、１回目の増分バックアップ時点で記憶部２１に記憶されている画像データＡ、Ｂ、Ｃを示す管理情報とからなる。
【００４６】
図４のＣは、２回目の増分バックアップが行われた場合にバックアップＰＣ３の記憶部３３に記憶されているアーカイブファイル２１１、２１２、２１３を示している。アーカイブファイル２１３は、２回目の増分バックアップにより、新たにバックアップＰＣ３の記憶部３３に記憶されたアーカイブファイルを示している。アーカイブファイル２１３は、１回目の増分バックアップ後にＭＦＰ１の記憶部２１に新たに記憶された画像データＤ、Ｅと、２回目の増分バックアップ時点で記憶部２１に記憶されている画像データＡ、Ｂ、Ｃ、Ｄ、Ｅを示す管理情報とからなる。
【００４７】
図４のＤは、３回目の増分バックアップされた場合にバックアップＰＣ３の記憶部３３に記憶されているアーカイブファイル２１１、２１２、２１３、２１４を示している。図４に示す例では、２回目の増分バックアップ後にＭＦＰ１の操作部１８及び操作パネル１９が受け付けたユーザによる削除指示、又はクライアントＰＣ４、４、…からの削除指示に応じて画像データＣが記憶部２１から削除されている。アーカイブファイル２１４は、３回目の増分バックアップにより、新たにバックアップＰＣ３の記憶部３３に記憶されたアーカイブファイルを示している。アーカイブファイル２１４は、３回目の増分バックアップ時点で記憶部２１に記憶されている画像データＡ、Ｂ、Ｄ、Ｅを示す管理情報のみからなる。
【００４８】
ＭＦＰ１は、３回目の増分バックアップ後に復元操作を受け付けた場合、バックアップＰＣ３に格納されているアーカイブファイル２１１、２１２、２１３、２１４を読み出す。ＭＦＰ１は、アーカイブファイル夫々に付与されている時刻情報に基づいて、最後にバックアップされたアーカイブファイル２１４を選択して復号し、復号したアーカイブファイル２１４に含まれる管理情報を記憶部２１に復元する。ＭＦＰ１は、復元した管理情報が示す画像データＡ、Ｂ、Ｄ、Ｅをアーカイブファイル２１１、２１２、２１３から記憶部２１に復元することにより、３回目の増分バックアップ時点で記憶部２１に記憶されていた画像データが復元される。
【００４９】
図５は、実施の形態１に係るバックアップ処理の手順を示すフローチャートである。バックアップ処理は、制御部１０が実行する制御プログラムに従って行われる。制御部１０は、ユーザによるバックアップの開始操作をＭＦＰ１の操作部１８又は操作パネル１９が受け付けてバックアップが開始されたか否かを判定する（ステップＳ１１）。制御部１０は、バックアップが開始されていないと判定した場合（ステップＳ１１でＮＯ）、バックアップが開始されるまで待機する。制御部１０は、バックアップが開始されたと判定した場合（ステップＳ１１でＹＥＳ）、後述のフルバックアップ処理を実行する（ステップＳ１２）。
【００５０】
ＭＦＰ１の制御部１０は、時計部２２が出力する暦日時情報を取得する（ステップＳ１３）。制御部１０は、取得した暦日時情報が、予め設定されている所定頻度から決定した増分バックアップの時機を示しているか否かを判定する（ステップＳ１４）。制御部１０は、暦日時情報が増分バックアップの時機を示していないと判定した場合（ステップＳ１４でＮＯ）、暦日時情報を取得するステップＳ１３に処理を戻す。制御部１０は、暦日時情報が増分バックアップの時機を示していると判定した場合（ステップＳ１４でＹＥＳ）、後述の増分バックアップ処理を実行する（ステップＳ１５）。ＭＦＰ１の制御部１０は、操作部１８又は操作パネル１９が復元操作を受け付けたか否かを判定する（ステップＳ１６）。
【００５１】
制御部１０は、復元操作を受け付けていないと判定した場合（ステップＳ１６でＮＯ）、暦日時情報を取得するステップＳ１３に処理を戻す。制御部１０は、復元操作を受け付けたと判定した場合（ステップＳ１６でＹＥＳ）、後述の復元処理を実行する（ステップＳ１７）。制御部１０は、ユーザによるバックアップの終了操作を操作部１８又は操作パネル１９が受け付けてバックアップが終了されたか否かを判定する（ステップＳ１８）。制御部１０は、バックアップが終了されていないと判定した場合（ステップＳ１８でＮＯ）、暦日時情報を取得するステップＳ１３に処理を戻す。制御部１０は、バックアップが終了されたと判定した場合（ステップＳ１８でＹＥＳ）、バックアップ処理を終了する。
【００５２】
図６は、実施の形態１に係るフルバックアップ処理の手順を示すフローチャートである。ＭＦＰ１の制御部１０は、記憶部２１に記憶されている全画像データを読み出す（ステップＳ３１）。制御部１０は、記憶部２１に記憶されている全画像データの一覧からなる管理情報を作成する（ステップＳ３２）。制御部１０は、読み出した全画像データ及び作成した管理情報からなり、一つのファイルにデータ圧縮されたアーカイブファイルを作成する（ステップＳ３３）。制御部１０は、記憶部２１に記憶されている全画像データにバックアップ済みを示す識別子を付加する（ステップＳ３４）。制御部１０は、アーカイブファイルを暗号化してバックアップＰＣ３に送信し（ステップＳ３５）、フルバックアップ処理を終了する。バックアップＰＣ３の制御部３０は、ＭＦＰ１から送られてきたアーカイブファイルを受信し（ステップＳ３６）、記憶部３３に記憶することで格納する（ステップＳ３７）。
【００５３】
図７は、実施の形態１に係る増分バックアップ処理の手順を示すフローチャートである。ＭＦＰ１の制御部１０は、カウンタＣに１をセットする（ステップＳ４１）。制御部１０は、カウンタＣが記憶部２１に記憶されている画像データの総数を超えているか否かを判定する（ステップＳ４２）。制御部１０は、超えていないと判定した場合（ステップＳ４２でＮＯ）、記憶部２１に記憶されている画像データのうち、Ｃ番目の画像データを読み出す（ステップＳ４３）。制御部１０は、読み出したＣ番目の画像データにバックアップ済みを示す識別子が付加されているか否かを判定する（ステップＳ４４）。制御部１０は、識別子が付加されていないと判定した場合（ステップＳ４４でＮＯ）、Ｃ番目の画像データを増分画像データとして取得する（ステップＳ４５）。
【００５４】
制御部１０は、記憶部２１に記憶されているＣ番目の画像データに識別子を付加する（ステップＳ４６）。制御部１０は、カウンタＣをインクリメントし（ステップＳ４７）、カウンタＣが画像データの総数を超えているか否かを判定するステップＳ４２に処理を戻す。制御部１０は、識別子が付加されているか否かを判定するステップＳ４４において、付加されていると判定した場合（ステップＳ４４でＹＥＳ）、カウンタＣをインクリメントするステップＳ４７に処理を移す。制御部１０は、カウンタＣが画像データの総数を超えているか否かを判定するステップＳ４２において、超えていると判定した場合（ステップＳ４２でＹＥＳ）、記憶部２１に記憶されている画像データ一覧からなる管理情報を作成する（ステップＳ４８）。
【００５５】
制御部１０は、取得した増分画像データ及び作成した管理情報からなり、一つのファイルにデータ圧縮されたアーカイブファイルを作成する（ステップＳ４９）。制御部１０は、アーカイブファイルを暗号化してバックアップＰＣ３に送信し（ステップＳ５０）、増分バックアップ処理を終了する。バックアップＰＣ３の制御部３０は、ＭＦＰ１から送られてきたアーカイブファイルを受信し（ステップＳ５１）、記憶部３３に記憶することで格納する（ステップＳ５２）。
【００５６】
図８は、実施の形態１に係る復元処理の手順を示すフローチャートである。ＭＦＰ１の制御部１０は、バックアップＰＣ３にアーカイブファイルの要求を送信する（ステップＳ６１）。バックアップＰＣ３の制御部３０は、ＭＦＰ１から送られてきたアーカイブファイルの要求を受信する（ステップＳ６２）。制御部３０は、記憶部３３に記憶している全アーカイブファイルをＭＦＰ１に送信する（ステップＳ６３）。ＭＦＰ１の制御部１０は、バックアップＰＣ３から送られてきた全アーカイブファイルを受信する（ステップＳ６４）。制御部１０は、アーカイブファイル夫々に付与されている時刻情報に基づいて最後にバックアップされたアーカイブファイルを復号し、復号したアーカイブファイルに含まれる管理情報を選択する（ステップＳ６５）。制御部１０は、選択した管理情報を記憶部２１に復元する（ステップＳ６６）。制御部１０は、カウンタＣに１をセットする（ステップＳ６７）。
【００５７】
制御部１０は、カウンタＣが管理情報に含まれる画像データ総数を超えているか否かを判定する（ステップＳ６８）。制御部１０は、超えていないと判定した場合（ステップＳ６８でＮＯ）、復元した管理情報が示す画像データ一覧のうち、Ｃ番目の画像データをアーカイブファイルから記憶部２１に復元する（ステップＳ６９）。制御部１０は、カウンタＣをインクリメントする（ステップＳ７０）。制御部１０は、カウンタＣが画像データ総数を超えるか否かを判定するステップＳ６８に処理を戻す。制御部１０は、カウンタＣが画像データ総数を超えるか否かを判定するステップＳ６８において越えていると判定した場合（ステップＳ６８でＹＥＳ）、復元処理を終了する。
【００５８】
本実施の形態においては、ユーザによるバックアップの開始操作をＭＦＰ１の操作部１８又は操作パネル１９が受け付けた場合に、バックアップ処理を開始する例を示したが、これに限るものではなくＬＡＮに接続されたクライアントＰＣ４、４、…からの指示を受け付けて開始してもよい。さらにＭＦＰ１が所定頻度で増分バックアップ処理を実行する場合を示したが、ＬＡＮに接続されたクライアントＰＣ４、４、…からの指示を受け付けて実行してもよい。
【００５９】
また、増分バックアップ処理において、記憶部２１に記憶されている全画像データ夫々を読み出してバックアップ済みであることを示す識別子が付加されているか否かを判定し、付加されていない画像データを増分画像データとして取得する場合を示したが、これに限るものではなく、増分画像データとして取得する代わりに増分画像データであることを示す識別子を付加してもよい。この場合、アーカイブファイルを作成する際に、増分画像データであることを示す識別子が付加された画像データを抽出して増分画像データとして取得するとよい。
【００６０】
実施の形態２
図９は、実施の形態２に係る復元処理の手順を示すフローチャートである。本実施の形態２は、実施の形態１が復元操作を受け付けた場合、最後にバックアップされたアーカイブファイルに含まれる管理情報に基づいて画像データを復元するのに対して、選択操作を受け付け、選択されたアーカイブファイルに含まれる管理情報に基づいて画像データを復元する。ＭＦＰ１の制御部１０は、バックアップＰＣ３にアーカイブファイルの要求を送信する（ステップＳ９１）。バックアップＰＣ３の制御部３０は、ＭＦＰ１から送られてきたアーカイブファイルの要求を受信する（ステップＳ９２）。制御部３０は、記憶部３３に記憶している全アーカイブファイルをＭＦＰ１に送信する（ステップＳ９３）。
【００６１】
ＭＦＰ１の制御部１０は、バックアップＰＣ３から送られてきた全アーカイブファイルを受信する（ステップＳ９４）。制御部１０は、アーカイブファイル夫々に付与されている時刻情報を取得する（ステップＳ９５）。制御部１０は、取得した時刻情報を一覧表示する（ステップＳ９６）。制御部１０は、一覧表示した時刻情報から１つの時刻情報の選択を受け付ける（ステップＳ９７）。制御部１０は、時刻情報が選択されたか否かを判定する（ステップＳ９８）。制御部１０は、選択されていないと判定した場合（ステップＳ９８でＮＯ）、選択されるまで待機する。制御部１０は、選択されたと判定した場合（ステップＳ９８でＹＥＳ）、選択された時刻情報が付与されたアーカイブファイルを復号し、含まれる管理情報を記憶部２１に復元する（ステップＳ９９）。
【００６２】
制御部１０は、カウンタＣに１をセットする（ステップＳ１００）。制御部１０は、カウンタＣが管理情報に含まれる画像データの総数を超えるか否かを判定する（ステップＳ１０１）。制御部１０は、超えていないと判定した場合（ステップＳ１０１でＮＯ）、復元した管理情報が示す画像データ一覧のうち、Ｃ番目の画像データをアーカイブファイルから記憶部２１に復元する（ステップＳ１０２）。制御部１０は、カウンタＣをインクリメントする（ステップＳ１０３）。制御部１０は、カウンタＣが画像データの総数を超えるか否かを判定するステップＳ１０１に処理を戻す。制御部１０は、カウンタＣが画像データ総数を超えるか否かを判定するステップＳ１０１において越えると判定した場合（ステップＳ１０１でＹＥＳ）、復元処理を終了する。
【００６３】
本実施の形態２において、アーカイブファイル夫々に付与された時刻情報の一覧から一つを選択する操作を受け付ける場合を示したが、これに限るものではなく、アーカイブファイルに付与されたファイル名等の識別情報の一覧から選択してもよい。
【００６４】
本実施の形態２は以上の如き構成としてあり、その他の構成、作用及び処理は実施の形態１と同様であるので対応する部分には同一の符号及び処理名を付してその詳細な説明を省略する。
【図面の簡単な説明】
【００６５】
【図１】実施の形態１に係る機能ブロック図である。
【図２】実施の形態１に係るＭＦＰを含むネットワークの構成例を示す模式図である。
【図３】実施の形態１に係るＭＦＰ及びバックアップＰＣの内部構成を含む構成例を示すブロック図である。
【図４】実施の形態１に係るアーカイブファイルのデータ構造の例を示す説明図である。
【図５】実施の形態１に係るバックアップ処理の手順を示すフローチャートである。
【図６】実施の形態１に係るフルバックアップ処理の手順を示すフローチャートである。
【図７】実施の形態１に係る増分バックアップ処理の手順を示すフローチャートである。
【図８】実施の形態１に係る復元処理の手順を示すフローチャートである。
【図９】実施の形態２に係る復元処理の手順を示すフローチャートである。
【符号の説明】
【００６６】
１  画像処理装置（ＭＦＰ）
３  外部記憶装置（バックアップＰＣ）
４  クライアントＰＣ
５  ＭＦＰ
６  ファクシミリ装置
１０  制御部
１０ａ，３０ａ  バス
１１  ＲＡＭ
１２  ＲＯＭ
１３  画像メモリ
１４  ＮＣＵ
１５  モデム
１６  原稿読取部
１７  画像形成部
１８  操作部
１９  操作パネル
２０  通信部
２１  記憶部
２２  時計部
３０  制御部
３１  ＲＡＭ
３２  ＲＯＭ
３３  記憶部
３４  通信部
１０１  全体バックアップ部
１０２  増分バックアップ部
１０３  管理情報選択部
１０４  復元部
【図１】
2009259052.tif 000003
【図２】
2009259052.tif 000004
【図３】
2009259052.tif 000005
【図４】
2009259052.tif 000006
【図５】
2009259052.tif 000007
【図６】
2009259052.tif 000008
【図７】
2009259052.tif 000009
【図８】
2009259052.tif 000010
【図９】
2009259052.tif 000011